(57)【要約】      （修正有）【課題】酷く破壊された標的ブロックと軽く破壊された標的ブロックとを容易に交換することにより、使用可能な時間を更に延ばすことができるサイザル麻製電子標的を提供する。【解決手段】標的ベース１０と、標的枠２０と、タッチ感応スイッチ３０と、複数の標的ブロックと、外リング５０と、を含む電子標的において、前記標的ベースには一つのピン１１が設けられ、前記標的枠は、前記標的ベースの上で３６０度に旋回可能であり、その外周縁には環状枠が設けられ、前記環状枠には複数の溝が等距離に環設され、前記タッチ感応スイッチは、前記標的ベースと前記標的枠との間に設けられ、前記複数の標的ブロックは、前記標的枠の内部に取り付けられ、前記外リングは、その上で数字がマークされ、前記環状リングを取り囲むように前記標的ベースの上で設けられている。【選択図】図１
0003149455.tif 000002
【実用新案登録請求の範囲】
【請求項１】
標的ベースと、標的枠と、タッチ感応スイッチと、複数の標的ブロックと、外リングと、を含むサイザル麻製電子標的において、
前記標的ベースには一つのピンが設けられており、
前記標的枠は、前記標的ベースの上で３６０度に旋回可能であり、その外周縁には環状枠が設けられており、前記環状枠には複数の溝が等距離に環設されており、
前記タッチ感応スイッチは、前記標的ベースと前記標的枠との間に設けられており、
前記複数の標的ブロックは、前記標的枠の内部に取り付けられており、
前記外リングは、その上で数字がマークされており、前記環状リングを取り囲むように前記標的ベースの上で設けられており、
前記ピンは、前記複数の溝の何れかの一つに挿入することにより、前記標的ベースと前記標的枠とを相互に定位可能であり、
前記標的枠は、同心であるが直径が相違する多数の環状リブと、放射状に排列されている多数の半径方向リブと、を含み、前記環状リブと前記半径方向リブとの連接箇所では、タッチ感応スイッチへ伸びており一体成形された十字形状断面ピンが設けられており、最小径の前記環状リブには、タッチ感応スイッチへ伸びている円筒が設けられていることを特徴とする、サイザル麻製電子標的。
【請求項２】
更に、ダイヤフラムを含み、前記ダイヤフラムは、前記標的枠と前記タッチ感応スイッチとの間に設けられており、その上では貫通孔が多数開設されており、前記複数の標的ブロックの前記タッチ感応スイッチに対向する面にはタッチ突起が設けられており、前記多数の貫通孔が前記多数のタッチ突起に対応していることを特徴とする、請求項１に記載のサイザル麻製電子標的。
【請求項３】
前記タッチ感応スイッチには、前記タッチ突起に対応するタッチ感応ポイントが設けられており、前記円筒に対応する箇所ではタッチ感応コイルが設けられており、前記タッチ感応コイルの半径が前記円筒の半径よりもやや小さいことを特徴とする、請求項１に記載のサイザル麻製電子標的。
【請求項４】
前記複数の溝は、それぞれ前記複数の半径方向リブに対応していることを特徴とする、請求項１に記載のサイザル麻製電子標的。
【請求項５】
前記ピンには弾き部が凸設されており、前記弾き部は、前記標的ベースの前記標的枠から遠ざかった面に伸びていることを特徴とする、請求項１に記載のサイザル麻製電子標的。
【請求項６】
前記ピンには、更に、弾性子が嵌め設けられており、前記弾性子の両端が前記弾き部と前記標的ベースとにそれぞれ押し付けており、これにより、前記ピンが常時に環状枠へ付勢されていることを特徴とする、請求項４に記載のサイザル麻製電子標的。
【請求項７】
前記標的ベースの前記タッチ感応スイッチに対応する箇所では第一固定突起が多数設けられており、前記タッチ感応スイッチには、前記多数の第一固定突起に対応する第一穴が開設されていることを特徴とする、請求項１に記載のサイザル麻製電子標的。
【請求項８】
前記標的ベースの前記外リングに対応する箇所では固定ねじ穴が多数開設されており、前記標的ベースと前記外リングとがネジによって相互に固定していることを特徴とする、請求項１に記載のサイザル麻製電子標的。
【請求項９】
前記環状枠は、更に、環状エッジを有し、前記環状エッジは前記環状枠から軸方向に沿って伸びており、前記複数の溝が前記環状エッジに設けられていることを特徴とする、請求項１に記載のサイザル麻製電子標的。
【請求項１０】
前記ダイヤフラムには第二固定突起が多数設けられており、前記環状エッジには、前記多数の第二固定突起に対応する第二穴が開設されていることを特徴とする、請求項９に記載のサイザル麻製電子標的。
【考案の詳細な説明】
【技術分野】
【０００１】
本考案は、サイザル麻製電子標的に関し、特に、標的枠が標的ベースに対して３６０度に旋回可能なサイザル麻製電子標的に関するものである。
【背景技術】
【０００２】
従来の電子標的は、樹脂によって射出成形されたものであるので、ダーツが樹脂によって射出成形されたものではない場合に、ダーツは、標的から落下し易く、又は先端が折れ易いという問題がある。
【０００３】
サイザル麻で作製された標的が市販になった後、ダーツの先端はスチール製針を採用することができるようになり、ダーツは、標的から落下し難く、そして先端が折れず、投射の実感性が良いので、消費者に愛用されている。
【０００４】
しかしながら、サイザル麻で作製された標的は、長期間使用されると、その繊維がスチール製針に重複して破壊されるので、ダーツの標的からの落下がどんどん頻繁になり、ついに正常に使用することができなくなるという問題がある。
【考案の概要】
【考案が解決しようとする課題】
【０００５】
本考案の主な目的は、酷く破壊された標的ブロックと軽く破壊された標的ブロックとを容易に交換することにより、使用可能な時間を更に延ばすことができるサイザル麻製電子標的を提供することにある。
【課題を解決するための手段】
【０００６】
本考案の請求項１に記載のサイザル麻製電子標的によると、標的ベースと、標的枠と、タッチ感応スイッチと、複数の標的ブロックと、外リングと、を含むサイザル麻製電子標的において、前記標的ベースには一つのピンが設けられており、前記標的枠は、前記標的ベースの上で３６０度に旋回可能であり、その外周縁には環状枠が設けられており、前記環状枠には複数の溝が等距離に環設されており、前記タッチ感応スイッチは、前記標的ベースと前記標的枠との間に設けられており、前記複数の標的ブロックは、前記標的枠の内部に取り付けられており、前記外リングは、その上で数字がマークされており、前記環状リングを取り囲むように前記標的ベースの上で設けられており、前記ピンは、前記複数の溝の何れかの一つに挿入することにより、前記標的ベースと前記標的枠とを相互に定位可能であり、前記標的枠は、同心であるが直径が相違する多数の環状リブと、放射状に排列されている多数の半径方向リブと、を含み、前記環状リブと前記半径方向リブとの連接箇所では、タッチ感応スイッチへ伸びており一体成形された十字形状断面ピンが設けられており、最小径の前記環状リブには、タッチ感応スイッチへ伸びている円筒が設けられていることを特徴とするサイザル麻製電子標的である。
【０００７】
本考案の請求項２に記載のサイザル麻製電子標的によると、更に、ダイヤフラムを含み、前記ダイヤフラムは、前記標的枠と前記タッチ感応スイッチとの間に設けられており、その上では貫通孔が多数開設されており、前記複数の標的ブロックの前記タッチ感応スイッチに対向する面にはタッチ突起が設けられており、前記多数の貫通孔が前記多数のタッチ突起に対応している。
【０００８】
本考案の請求項３に記載のサイザル麻製電子標的によると、前記タッチ感応スイッチには、前記タッチ突起に対応するタッチ感応ポイントが設けられており、前記円筒に対応する箇所ではタッチ感応コイルが設けられており、前記タッチ感応コイルの半径が前記円筒の半径よりもやや小さい。
【０００９】
本考案の請求項４に記載のサイザル麻製電子標的によると、前記複数の溝は、それぞれ前記複数の半径方向リブに対応している。
【００１０】
本考案の請求項５に記載のサイザル麻製電子標的によると、前記ピンには弾き部が凸設されており、前記弾き部は、前記標的ベースの前記標的枠から遠ざかった面に伸びている。
【００１１】
本考案の請求項６に記載のサイザル麻製電子標的によると、前記ピンには、更に、弾性子が嵌め設けられており、前記弾性子の両端が前記弾き部と前記標的ベースとにそれぞれ押し付けており、これにより、前記ピンが常時に環状枠へ付勢されている。
【００１２】
本考案の請求項７に記載のサイザル麻製電子標的によると、前記標的ベースの前記タッチ感応スイッチに対応する箇所では第一固定突起が多数設けられており、前記タッチ感応スイッチには、前記多数の第一固定突起に対応する第一穴が開設されている。
【００１３】
本考案の請求項８に記載のサイザル麻製電子標的によると、前記標的ベースの前記外リングに対応する箇所では固定ねじ穴が多数開設されており、前記標的ベースと前記外リングとがネジによって相互に固定している。
【００１４】
本考案の請求項９に記載のサイザル麻製電子標的によると、前記環状枠は、更に、環状エッジを有し、前記環状エッジは前記環状枠から軸方向に沿って伸びており、前記複数の溝が前記環状エッジに設けられている。
【００１５】
本考案の請求項１０に記載のサイザル麻製電子標的によると、前記ダイヤフラムには第二固定突起が多数に設けられており、前記環状エッジには、前記多数の第二固定突起に対応する第二穴が開設されている。
【考案の効果】
【００１６】
本考案のサイザル麻製電子標的によれば、酷く破壊された標的ブロックと軽く破壊された標的ブロックとを容易に交換することにより、使用可能な時間を更に延ばすことができるという効果を有する。
【図面の簡単な説明】
【００１７】
【図１】本考案の実施例１に係るサイザル麻製電子標的の分解斜視図である。
【図２】本考案の実施例１に係るサイザル麻製電子標的の組合状態の模式図である。
【図３】本考案の実施例１に係る標的枠の模式図である。
【図４】本考案の実施例１に係るサイザル麻製電子標的の断面図である。
【図５】本考案の実施例１に係るサイザル麻製電子標的の使用状態を示す断面図である。
【図６】本考案の実施例２に係るサイザル麻製電子標的の分解斜視図である。
【考案を実施するための形態】
【００１８】
以下、本考案の実施の形態を図面に基づいて説明する。
【００１９】
まず、図１及び図２を参照する。本考案の実施例１に係るサイザル麻製電子標的は、標的ベース１０と、標的枠２０と、タッチ感応スイッチ３０と、標的枠２０の内部に取り付けられている複数の標的ブロック４０と、数字がマークされた外リング５０と、ダイヤフラム６０と、を含む。
【００２０】
標的ベース１０には一つのピン１１が設けられており、標的枠２０は、標的ベース１０の上で３６０度に旋回可能であり、その外周縁には環状枠２１が設けられており、環状枠２１には複数の溝２２が等距離に環設されている。記タッチ感応スイッチ３０は、標的ベース１０と標的枠２０との間に設けられており、外リング５０は、環状枠２１を取り囲むように標的ベース１０の上で設けられており、その上でマークセクション５１（図面に数字がマークされず）が設けられている。
【００２１】
次に、図３を参照する。標的枠２０は、同心であるが直径が相違する多数の環状リブ２３と、放射状に排列されている多数の半径方向リブ２４と、を含み、これらの溝２２がこれらの半径方向リブ２４にそれぞれ対応している。環状リブ２３と半径方向リブ２４との連接箇所では、タッチ感応スイッチ３０へ伸びており一体成形された十字形状断面ピン２５が設けられており、最小径の環状リブ２３´には、タッチ感応スイッチ３０へ伸びている円筒２６が設けられている。隣接する二つの環状リブ２３と、隣接する二つの半径方向リブ２４と、の四つの連接箇所では、四つの十字形状断面ピン２５が設けられており、これにより、標的ブロック４０は、四つの十字形状断面ピン２５に規制され、組付作業が更に簡易になる。
【００２２】
標的ブロック４０のタッチ感応スイッチ３０に対向する面にはタッチ突起４１（図４を参照）が設けられており、タッチ感応スイッチ３０には、タッチ突起４１に対応するタッチ感応ポイント３１が設けられており、円筒２６に対応する箇所ではタッチ感応コイル３２が設けられており、タッチ感応コイル３２の半径が円筒２６の半径よりもやや小さい。このように、標的ブロック４０にダーツが当ると、ダーツの衝撃力によりタッチ突起４１がタッチ感応ポイント３１又はタッチ感応コイル３２に力を加えて、タッチ感応回路が電子信号を発生し、得点をユーザに知らせることができる。また、標的枠２０の中心に位置されている標的ブロック４０´の背面にはタッチ感応コイル３２が設けられているので、標的ベース１０に対して標的枠２０を何れかの角度に旋回しても、タッチ感応スイッチ３０が得点を精確に感応することができる。また、標的枠２０とタッチ感応スイッチ３０との間には、更に、ダイヤフラム６０が設けられており、ダイヤフラム６０には貫通孔６１が多数開設されており、これらの貫通孔６１が接触突起に対応している。
【００２３】
次に、図４を参照する。ピン１１は、複数の溝２２の何れかの一つに挿入することにより、標的ベース１０と標的枠２０とを相互に定位することができる。ピン１１には弾き部１２が凸設されており、弾き部１２は、標的ベース１０の標的枠２０から遠ざかった面に伸びており、これにより、ユーザはピン１１を容易に弾くことができる。そしてピン１１には、更に、弾性子１３が嵌め設けられており、弾性子１３の両端が弾き部１２と標的ベース１０とにそれぞれ押し付けており、これにより、ピン１１が常時に環状枠２１へ付勢されている。
【００２４】
次に、図５を参照する。ユーザがピン１１を弾くことによりピン１１を溝２２から脱出した後、標的枠２０とダイヤフラム６０とが標的ベース１０に対して旋回することができ、標的枠２０を一定角度に旋回しピン１１を別の溝に合せると、弾性子１３によりピン１１が付勢されてこの溝に押し込まれる。
【００２５】
次に、図６を参照する。図６は本考案の実施例２に係るサイザル麻製電子標的の分解斜視図である。本実施例では、環状枠２１は、更に、環状エッジ２７を有し、環状エッジ２７は環状枠２１から軸方向に沿って外側へ伸びており、複数の溝２２が環状エッジ２７に設けられている。標的ベース１０のタッチ感応スイッチ３０に対応する箇所では第一固定突起１４が多数設けられており、タッチ感応スイッチ３０には、多数の第一固定突起１４に対応する第一穴３３が開設されており、これにより、タッチ感応スイッチ３０と標的ベース１０とが相互に固定される。また、ダイヤフラム６０には第二固定突起６２が多数に設けられており、環状エッジ２７には、多数の第二固定突起６２に対応する第二穴２８が開設されており、これにより、ダイヤフラム６０と標的枠２０とが相互に固定される。また、標的ベース１０の外リング５０に対応する箇所では固定ねじ穴１５が複数開設されており、標的ベース１０と外リング５０とがネジによって相互に固定している。なお、壁面などに標的ベース１０を掛かるために、標的ベース１０には掛かり穴１６が少なくとも一つ開設されている。
【産業上の利用可能性】
【００２６】
本考案に係るサイザル麻製電子標的によれば、酷く破壊された標的ブロックと、軽く破壊された標的ブロックとを容易に交換することにより、使用可能な時間を更に延ばすことができる。
【符号の説明】
【００２７】
１０：標的ベース、１１：ピン、１２：弾き部、１３：弾性子、２０：標的枠、２１：環状枠、２２：溝、２４：半径方向リブ、２５：十字形状断面ピン、２６：円筒、３０：タッチ感応スイッチ、３１：タッチ感応ポイント、３２：タッチ感応コイル、４０，４０´：標的ブロック、４１：タッチ突起、５０：外リング、５１：マークセクション。
【図１】
0003149455.tif 000003
【図２】
0003149455.tif 000004
【図３】
0003149455.tif 000005
【図４】
0003149455.tif 000006
【図５】
0003149455.tif 000007
【図６】
0003149455.tif 000008